(57)【要約】      （修正有）【課題】マスクをつける時に皮膚が蒸し暑くて湿っぽく感じる問題を解決し、且つ汚染のろ過と皮膚のヘルスケアを両立させる多機能スキンケアマスクを提供する。【解決手段】スキンケアマスクは、中央部における突出部分に位置し、透気材で作成される呼吸部１と、使用者の皮膚にフィットするように呼吸部の左右両側に位置し、ガスバリア層、スキンケア層及び透気層を含む顔面フィット部２を含み、呼吸部と使用者の顔の間に、使用者の鼻孔が位置される空間が形成され、スキンケア層は、透気層を介して使用者の皮膚に接触し、皮膚からの水分と反応することによって皮膚に接触する気体を発生するスキンケアユニットを有する。スキンケアユニットは、酸素供給ユニットと、二酸化炭素供給ユニット及び一美白ユニットのうち、一つ又はいずれか二つの組み合わせを含む。【選択図】図１
0003218013.tif 000002
【実用新案登録請求の範囲】
【請求項１】
スキンケアマスクの中央部における突出部分に位置し、透気材で作成される呼吸部と、使用者の皮膚にフィットするように前記呼吸部の左右両側に位置し、ガスバリア層、スキンケア層及び透気層からなる顔面フィット部を含み、前記呼吸部と使用者の顔の間に、使用者の鼻孔が位置される空間が形成され、前記ガスバリア層は前記顔面フィット部において使用者の皮膚から離れる面に設置され、前記スキンケア層は前記ガスバリア層において使用者の皮膚に向ける面に設置され、前記スキンケア層は前記透気層を介して使用者の皮膚に接触し、使用者の皮膚からの水分と反応することによって使用者の皮膚と接触する気体を発生するスキンケアユニットを有し、前記透気層は前記顔面フィット部及び前記スキンケア層において使用者の皮膚に向ける面に設置される、スキンケアマスク。
【請求項２】
前記スキンケアユニットは、酸素供給ユニットと、二酸化炭素供給ユニット及び一美白ユニットのうち、一つ又はいずれか二つの組み合わせを含む、請求項１に記載のスキンケアマスク。
【請求項３】
前記酸素供給ユニットは、過酸化カルシウム、過酸化マグネシウム、過酸化ナトリウム、過酸化カリウム、過炭酸ナトリウム及び過炭酸カルシウムからなる群から選ばれる少なくとも一つである、請求項２に記載のスキンケアマスク。
【請求項４】
前記二酸化炭素供給ユニットは、固体酸と金属炭酸塩を含む、請求項２に記載のスキンケアマスク。
【請求項５】
前記固体酸は、乳酸又は／及びクエン酸を含む、請求項４に記載のスキンケアマスク。
【請求項６】
前記金属炭酸塩は、炭酸水素ナトリウム（重曹）、炭酸マグネシウム、炭酸カルシウム又は炭酸カリウムを含む、請求項４に記載のスキンケアマスク。
【請求項７】
前記美白ユニットは、過酸化物、活性化剤及び触媒を含む、請求項２に記載のスキンケアマスク。
【請求項８】
前記過酸化物は、過酸化カルシウム、過酸化マグネシウム、過酸化ナトリウム、過酸化カリウム、過炭酸ナトリウム及び過炭酸カルシウムからなる群から選ばれる少なくとも一つである、請求項７に記載のスキンケアマスク。
【請求項９】
前記活性化剤は、アシル基化合物である、請求項７に記載のスキンケアマスク。
【請求項１０】
前記アシル基化合物は、テトラアセチルエチレンジアミン（ＴＡＥＤ）、ノニルベンゼンスルホン酸ナトリウム（ＮＯＢＳ）、テトラアセチルグリコールウリル、ペンタアセチルグルコース、Ｎ−アセチルフタルイミド 、１−アセチル安息香酸エチル、トリアセチルエタノールアミン及びノナノイルアセチルベンゼンスルホン酸エステルからなる群から選ばれる少なくとも一つである、請求項９に記載のスキンケアマスク。
【請求項１１】
前記触媒はカタラーゼである、請求項７に記載のスキンケアマスク。
【請求項１２】
前記透気材は更にろ過材を含む、請求項１に記載のスキンケアマスク。
【請求項１３】
前記ろ過材は、不織布、木綿、活性炭、Ｎ９５ろ過材及びＮ９９ろ過材からなる群から選ばれる少なくとも一つである、請求項１２に記載のスキンケアマスク。
【請求項１４】
平面マスク、蝶型マスク、立体マスク、魚口マスク又は柳葉マスクを含む、請求項１に記載のスキンケアマスク。
【請求項１５】
前記透気材は、更に使用者の皮膚の汗を吸収するためのポリマー吸水材料を含む、請求項１に記載のスキンケアマスク。
【請求項１６】
前記呼吸部は、更に音波透過構造を含み、使用者の声は前記音波透過構を介して外部に伝送される、請求項１に記載のスキンケアマスク。
【考案の詳細な説明】
【技術分野】
【０００１】
本考案は、多機能マスク、特に汚染のろ過と皮膚のヘルスケアを両立させるスキンケアマスクに関する。
【背景技術】
【０００２】
一般には、マスクをつける原因として、例えば感染の予防と、プライバシー保護、又は
仕事の必要等がいろいろある。マスクをつける状況も、各人習慣又は快適さによって異なっており、例えば大気汚染の環境や、バイクで出勤、乗車の途中などでマスクをつければスモッグを避けられる。
【０００３】
しかし、夏の天気が蒸し暑くて汗が大量に出るので、マスクをつけると、蒸し暑さを感じやすく、皮膚が湿っぽくてべたべたするように極めて不快であり、更にアレルギー体質を有する使用者には皮膚腫れ等のアレルギー問題が発生する。したがって、夏にはマスクを使用する人数が明らかに低減しているが、夏に上記理由でマスクを使用する必要がやはり存在する。
【考案の概要】
【考案が解決しようとする課題】
【０００４】
したがって、本考案は、この分野で解決しようとする問題として、マスクをつける時に皮膚が蒸し暑くて湿っぽく感じる問題を解決し、且つ汚染のろ過と皮膚のヘルスケアを両立させる多機能スキンケアマスクを提供する。
【課題を解決するための手段】
【０００５】
上記の問題を解決するため、本考案は、スキンケアマスクの中央部における突出部分に位置し、透気材で作成される呼吸部と、前記使用者の皮膚にフィットするように前記呼吸部の左右両側に位置し、ガスバリア層、スキンケア層及び透気層からなる顔面フィット部を含み、前記突出部分において使用者がマスクをつける時に鼻孔で呼吸できるように外側に突出する空間が形成され、前記ガスバリア層が前記顔面フィット部において使用者の皮膚から離れる面に設置され、前記スキンケア層が前記ガスバリア層において使用者の皮膚に向ける面に設置され且つスキンケアユニットを有し、前記透気層が前記顔面フィット部及び前記スキンケア層において使用者の皮膚に向ける面に設置され、汚染のろ過と皮膚のヘルスケアを両立させる多機能スキンケアマスクを提供する。
【０００６】
このうち、前記スキンケアユニットは、酸素供給ユニット、二酸化炭素供給ユニット及び美白ユニットからの一つ又はいずれか二つ以上の組み合わせを含み、また、前記酸素供給ユニットは、過酸化カルシウム、過酸化マグネシウム、過酸化ナトリウム、過酸化カリウム、過炭酸ナトリウムと過炭酸カルシウムからなる群から選ばれる少なくとも一つであり、前記二酸化炭素供給ユニットは固体酸と金属炭酸塩を含み、且つ前記美白ユニットは過酸化物、活性化剤及び触媒を含む。したがって、前記スキンケアユニットは、前記透気層を介して使用者の皮膚に接触でき、使用者皮膚からの水分と反応することによってスキンケアに有効な気体を発生し、これにより、ヘルスケアと顔美白の効果を奏する。
【図面の簡単な説明】
【０００７】
【図１】スキンケアマスクの模式図である。
【図２】顔面フィット部の組成の模式図である。
【考案を実施するための形態】
【０００８】
本考案は、水分を吸収した後に酸素を供給できるスキンケアマスク（図１を参照）を提供し、前記スキンケアマスクは、呼吸部１と顔面フィット部２と二つの領域を有し、呼吸部１は透気材から構成され、前記透気材は更にろ過材を有してもよく、前記ろ過材は不織布、木綿、活性炭、Ｎ９５ろ過材又はＮ９９ろ過材からなる群から選ばれるが、これらに限定されていない。前記呼吸部１はスキンケアマスクの中央部における突出部分に位置し、前記突出部分において、使用者を順調に呼吸させるため、使用者の顔に向けるように空間が形成されている。また、呼吸部１は、音波を伝導できる音波膜を有する音波透過構造３を更に含んでもよく、これにより、使用者の声は前記音波透過構造３を介して外部に伝送できる。顔面フィット部２は、使用者の皮膚に貼り付けられるように呼吸部１の左右両側に位置する。前記顔面フィット部２の模式図は図２に示されており、前記顔面フィット部２は、ガスバリア層２１と、スキンケア層２２と、透気層２３からなり、このうち、前記ガスバリア層２１は顔面フィット部２において使用者の皮膚から離れる面に設置され、前記スキンケア層２２は前記ガスバリア層２１において使用者の皮膚に向ける面に設置され且つスキンケアユニット（図示しない）を有し、前記透気層２３は前記顔面フィット部及び前記スキンケア層２２において使用者の皮膚に向ける一面に設置される。
【０００９】
上記スキンケア層２２において、前記スキンケアユニットが前記透気層２３を介して皮膚に接触し、且つ使用者の皮膚からの水分と反応することによってスキンケアの効果を有する気体を発生し、前記気体が皮膚に接触すると、皮膚への透気性（通気性）を向上させ、皮膚状況の改善又は皮膚の美白効果の向上ができる。これにより、使用者がマスクをつける時、蒸し暑い不快感を減少するとともに、ヘルスケアと顔美白の効果も兼備する。
【００１０】
実施例１  酸素を発生するスキンケアマスク
【００１１】
前記スキンケアマスクにおける前記スキンケア層２２のスキンケアユニットに、皮膚に酸素の成分を供給するための酸素供給ユニットを設置し、このうち、過酸化カルシウムを使用して空気中の水分と反応して酸素を発生することは好ましい実施例であり、前記酸素供給ユニットは過酸化カルシウム、過酸化マグネシウム、過酸化ナトリウム、過酸化カリウム、過炭酸ナトリウムと過炭酸カルシウムからなる群から選ばれる少なくとも一つを含み、このうち、代表的な過酸化カルシウムと水の化学反応式は以下の通りである。
２ＣａＯ２＋２Ｈ２Ｏ→２Ｃａ（ＯＨ）２＋Ｏ２
【００１２】
過酸化カルシウムが水と反応すると水酸化カルシウムと酸素が発生し、マスク内部の環境における水分が本願の機能材料における過酸化カルシウムと反応する時、酸素が発生し、これにより、マスク内部の環境における水分の低減と酸素の増加という効果が達成できる。
【００１３】
本考案の効果を調べるために、ボランティア５０名を応募し、本考案のマスクと、市販のマスクと、市販の顔パックという三組に分けてそれぞれ試用する。ボランティアは、一日に本考案のマスクと、市販のマスクと、市販の顔パックをそれぞれ３０分で使い、二週後、個別にアンケートを書く。ボランティアの年齢は３５−５０歳であり、評価基準として透気性及び使用する時の快適さに基づいて１〜１０点で評価する。
【００１４】
【表１】
0003218013.tif 000003
【００１５】
比較の結果、本考案の製品を使用したボランティアによると、本考案のスキンケアマスクについて、快適さが市販の顔パックに似ていると共に、その透気性が市販の顔パックより優れている。一方、透気性と快適さの両方は一般のマスクより優れた。使用者の皮膚への透気性を維持できるので、本考案のスキンケアマスクは、つけられる時に気体が皮膚からバリアされることによるアレルギー反応を防止できる。
【００１６】
実施例２  二酸化炭素を発生するスキンケアマスク
【００１７】
人体の表面には多くの害虫、細菌が存在しており、このうち、ニキビダニは皮膚の表面に寄生する目で見えない微生物であり、一旦寄生されたら皮膚が侵食され、皮膚がデコボコになり、又はニキビができる。二酸化炭素は昆虫と害虫に対して抑制の効果を有するので、本考案がスキンケアマスクのスキンケア層２２におけるスキンケアユニットに、固体酸と金属炭酸塩を含む二酸化炭素供給ユニットを加入し、具体的な実施例において、前記固体酸としてクエン酸又は乳酸が使用され、金属炭酸塩として炭酸水素ナトリウム（重曹）、炭酸マグネシウム、炭酸カルシウム又は炭酸カリウムが使用される。このうち、炭酸水素ナトリウムとクエン酸の化学反応式は以下の通りである。
３ＮａＨＣＯ３＋Ｃ３Ｈ４（ＯＨ）（ＣＯＯＨ）３→Ｃ３Ｈ４（ＯＨ）（ＣＯＯＮａ）３＋３Ｈ２Ｏ＋３ＣＯ２
【００１８】
前記二酸化炭素供給ユニットは、クエン酸１ｇと炭酸水素ナトリウム０．８ｇを含み、スキンケアマスクが使用されずに乾燥する状態にある時、その中の炭酸水素ナトリウム（重曹）とクエン酸はいずれも固体であり、スキンケアマスクが使用される時，前記透気層２３を介して皮膚からの水分又はそのほかの水分に接触し、前記スキンケア層２２における前記スキンケアユニットの前記二酸化炭素供給ユニットの炭酸水素ナトリウムとクエン酸と反応し始めて二酸化炭素気体が発生される。
【００１９】
本考案による皮膚状況の改善程度及び使用する時の快適さを調べるために、ボランティア５０名に対して実施例１と同様の試験を施し、使用した後にアンケートを書かせ、その結果を表２に示す。
【００２０】
【表２】
0003218013.tif 000004
【００２１】
結果として、本考案の製品を使用したボランティアによると、本願のスキンケアマスクによる皮膚状況の改善効果が市販の顔パックより優れており、本願のスキンケアマスクはニキビなどの皮膚問題を改善できる効果を有する。一方、快適さについて、本願のスキンケアマスクの快適さに対する評価も市販のマスクと顔パックより優れている。
【００２２】
実施例３  美白効果を有する成分の添加
【００２３】
前記スキンケアマスクの前記スキンケア層２２における前記スキンケアユニットに、過酸化物、触媒及び活性化剤を混合してなる美白ユニットを加入し、具体的な実施例において、前記過酸化物として、過酸化カルシウム、過酸化マグネシウム、過酸化ナトリウム、過酸化カリウム、過炭酸ナトリウム又は過炭酸カルシウムが使用され、前記触媒としてカタラーゼが使用され、前記活性化剤としてテトラアセチルエチレンジアミン、ノニルベンゼンスルホン酸ナトリウム（ＮＯＢＳ）、テトラアセチルグリコールウリル、ペンタアセチルグルコース、Ｎ−アセチルフタルイミド、１−アセチル安息香酸エチル、トリアセチルエタノールアミン又はノナノイルアセチルベンゼンスルホン酸エステルが使用される。その製造方法は、過酸化カルシウム（ＣａＯ２）と、カタラーゼ（ＣＡＴ）及びテトラアセチルエチレンジアミン（ＴＡＥＤ）を均一に混合し、皮膚からの水分又は空気中の水分（湿度）を上記美白ユニットに反応させる。その化学反応式は以下の通りである。
ＣａＯ２＋Ｈ２Ｏ→Ｃａ（ＯＨ）２＋Ｏ２
【００２４】
上記反応の中間体である過酸化水素（Ｈ２Ｏ２）は弱酸の役を担い、アルカリ性の媒体において解離して過酸化水素アニオンになり、その化学反応式は以下の通りである。
Ｈ２Ｏ２＋ＯＨ−→ＨＯＯ−＋Ｈ２Ｏ
【００２５】
前記過酸化水素アニオンは求核剤であり、過酸化水素をラジカルに形成させる機能を有し、その化学反応式は以下の通りである。
ＨＯＯ−＋Ｈ２Ｏ２→ＨＯＯ・＋ＨＯ・＋ＯＨ−
【００２６】
前記過酸化水素と過酸化水素アニオンはいずれも高い活性を有し、色素を酸化して分解することにより美白の作用に達成できる。本考案による美白効果及び使用する時の快適さを調べるとめに、ボランティア５０名に対して実施例１と同様の試験を施し、使用した後にアンケートを書かせ、その結果を表３に示す。（ここで、上記と同様又は類似の内容を省略し、前記との差異を記載するのみである。）
【００２７】
【表３】
0003218013.tif 000005
【００２８】
結果として、本考案の製品を使用したボランティアによると、本願のスキンケアマスクの美白効果は市販の顔パックより優れており、その快適さは更に市販の顔パックより優れており、且ついずれも市販のマスクより優れている。使用者の皮膚からの水分（汗）を利用して美白の功効を有する気体を発生できるので、使用する時の蒸し暑い不快感を低減すると共に、皮膚美白の効果を奏する。
【００２９】
以上より、現行技術と比べると、本考案は以下の利点を有する。
１．単に美白の効果を有する顔パックと比べると、美白用の顔パックは室内で使用されるだけであり、一方、本願のスキンケアマスクは通勤又は公衆場所で使用され、使用者がマスクをつけると共に、皮膚のヘルスケアもでき、良い外観と実用性を両立できる。
２．普通の市販のマスクと比べると、本願のスキンケアマスクは湿熱感を低下させる効果を有するので、蒸し暑い天気でも前記スキンケアマスクをつけられる。
【００３０】
本願のスキンケアマスクによるスキンケア効果は、美白の効果に限らず、使用者の必要により、透気、ニキビ改善などの機能を加えることもできる。
【００３１】
上記の実施例は本考案の技術思想及び特徴を説明するための例であり、その目的は、この分野において通常の知識を有する者に本考案の内容を了解させて実施できることであり、本考案の特許請求の範囲を限定しておらず、本考案の主旨によって行われる均等な変化又は修飾は、やはり本考案の特許請求の範囲にある。
【符号の説明】
【００３２】
１    呼吸部
２    顔面フィット部
２１  ガスバリア層
２２  スキンケア層
２３  透気層
３    音波透過構造
【図１】
0003218013.tif 000006
【図２】
0003218013.tif 000007